【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
ＩＰ網は複数の網ノード装置を含み、前記ＩＰ網の外部に複数の無線基地局があり、
無線基地局Ｂ１は通信回線Ｌ１を経て網ノード装置Ｎ１に接続され、無線基地局Ｂ２は通信回線Ｌ２を経て網ノード装置Ｎ２に接続され、無線基地局Ｂ３は通信回線Ｌ３を経て網ノード装置Ｎ３に接続され、
前記無線基地局Ｂ１乃至Ｂ３はそれぞれ無線通信可能領域ＲＧ１乃至ＲＧ３を有しており、
移動端末Ｍ１が前記無線基地局Ｂ１と通信して無線通信路Ｃ１を確保し、電話番号ＴＮ２を用いて宛先移動端末Ｍ２との通信接続を要求した結果として、
前記無線通信可能領域ＲＧ１の内部に位置する移動端末Ｍ１が無線通信路Ｃ１、前記無線基地局Ｂ１、前記通信回線Ｌ１、前記網ノード装置Ｎ１、前記ＩＰ網、前記網ノード装置Ｎ２、前記通信回線Ｌ２、前記無線基地局Ｂ２、無線通信路Ｃ２を経て移動端末Ｍ２との間でＩＰパケットを送受する通信を行っており、
ＩＰパケットが前記通信回線Ｌ１から前記網ノード装置Ｎ１に入力すると、前記ＩＰパケットは前記網ノード装置Ｎ１においてＩＰカプセル化されて内部ＩＰパケットに変換され、前記内部ＩＰパケットは前記ＩＰ網内を転送され、前記網ノード装置Ｎ２で逆ＩＰカプセル化されて前記ＩＰパケットが復元されるようになっており、
前記移動端末Ｍ１と前記移動端末Ｍ２とが通信中に、前記移動端末Ｍ１が前記無線通信可能領域ＲＧ１と重複する無線可能領域ＲＧ３の内部に地理的に移動し、
前記移動端末Ｍ１が無線通信路Ｃ３、前記無線基地局Ｂ３、前記通信回線Ｌ３、前記網ノード装置Ｎ３、前記ＩＰ網、前記網ノード装置Ｎ２、前記通信回線Ｌ２、前記無線基地局Ｂ２、前記無線通信路Ｃ２を経て前記移動端末Ｍ２との間でＩＰパケットを送受する通信を継続するハンドオーバが行われ、
前記ＩＰパケットが前記通信回線Ｌ３から前記網ノード装置Ｎ３に入力すると、前記ＩＰパケットは前記網ノード装置Ｎ３においてＩＰカプセル化されて内部ＩＰパケットに変換され、前記内部ＩＰパケットは前記ＩＰ網内を転送され、前記網ノード装置Ｎ２で逆ＩＰカプセル化されて前記ＩＰパケットに復元され端末移動後も通信が継続するハンドオーバが可能であることを特徴とするＩＰ網を用いた通信システム。
【請求項２】
ＩＰ網は複数の網ノード装置を含み、前記ＩＰ網の外部に複数の無線基地局があり、
無線基地局Ｂ１は通信回線Ｌ１を経て網ノード装置Ｎ１に接続され、無線基地局Ｂ２は通信回線Ｌ２を経て網ノード装置Ｎ２に接続され、無線基地局Ｂ３は通信回線Ｌ３を経て網ノード装置Ｎ３に接続され、
前記無線基地局Ｂ１乃至Ｂ３はそれぞれ無線通信可能領域ＲＧ１乃至ＲＧ３を有しており、
前記網ノード装置Ｎ１乃至Ｎ３はそれぞれ装置制御レコードＲ１乃至Ｒ３を設定しており、
前記端末Ｍ１は電話番号を用いて前記端末Ｍ２に接続要求するため前記無線基地局Ｂ１と通信し、接続要求及び前記移動端末Ｍ２の電話番号ＴＮ２を無線通信路Ｃ１経由で前記無線基地局Ｂ１へ送信し、前記無線基地局Ｂ１は前記接続要求及び前記電話番号ＴＮ２を前記ＩＰ網に送信し、
前記端末Ｍ２が着信可能であれば、前記ＩＰ網は前記無線基地局Ｂ２を経由して着信通知を前記端末Ｍ２に送信し、
前記端末Ｍ２は応答準備開始を知らせる呼出中通知を前記ＩＰ網に送信し、前記ＩＰ網は前記呼出中通知を前記端末Ｍ１に送信し、
前記端末Ｍ２は応答を知らせる応答通知を前記ＩＰ網に送信し、前記ＩＰ網は前記応答通知を前記端末Ｍ１に送信し、前記端末Ｍ１への前記応答通知の送信により、端末間通信用に新たな装置制御レコードの設定が可能となり、
前記ＩＰ網は前記網ノード装置Ｎ１に対して装置制御レコードＲ１２の設定を指示し、前記網ノード装置Ｎ２に対して装置制御レコードＲ２１の設定を指示し、前記装置制御レコードＲ１２及びＲ２１は前記網ノード装置Ｎ１及びＮ２の間に内部ＩＰパケットが転送される通信パスＰ１２を定めており、
前記無線通信可能領域ＲＧ１の内部にある移動端末Ｍ１が、移動端末Ｍ２と、無線通信路Ｃ１、前記無線基地局Ｂ１、前記通信回線Ｌ１、前記網ノード装置Ｎ１、前記通信パスＰ１２、前記網ノード装置Ｎ２、前記通信回線Ｌ２、前記無線基地局Ｂ２、無線通信路Ｃ２を経由してＩＰパケットを送受する通信を行っており、
前記ＩＰパケットが前記通信回線Ｌ１から前記網ノード装置Ｎ１に入力すると、前記ＩＰパケットは前記網ノード装置Ｎ１においてＩＰカプセル化されて内部ＩＰパケットに変換され、前記内部ＩＰパケットは前記ＩＰ網内を転送され、前記網ノード装置Ｎ２で逆ＩＰカプセル化されて前記ＩＰパケットが復元され、
前記移動端末Ｍ１が前記移動端末Ｍ２と通信中に、前記移動端末Ｍ１が、前記無線通信可能領域ＲＧ１と重複する無線可能領域ＲＧ３の内部に地理的に移動すると、前記端末Ｍ１は、前記無線基地局Ｂ１又は前記無線基地局Ｂ３の少なくとも一方を経由して、前記無線通信可能領域ＲＧ３内部への移動通知を前記ＩＰ網に送り、前記ＩＰ網は前記無線通信可能領域ＲＧ３への前記移動通知を基に、
前記ＩＰ網は前記網ノード装置Ｎ３に対して新たな装置制御レコードＲ３２の設定を指示し、前記網ノード装置Ｎ２に対して新たな装置制御レコードＲ２３の設定を指示し、前記装置制御レコードＲ３２及びＲ２３は前記網ノード装置Ｎ３及びＮ２の間に内部ＩＰパケットが転送される通信パスＰ３２を定めており、
前記移動端末Ｍ１が無線通信路Ｃ３、前記無線基地局Ｂ３、前記通信回線Ｌ３、前記網ノード装置Ｎ３、前記通信パスＰ３２、前記網ノード装置Ｎ２、前記通信回線Ｌ２、前記無線基地局Ｂ２、前記無線通信路Ｃ２を経て前記移動端末Ｍ２との間でＩＰパケットを送受する通信を継続するハンドオーバが行われ、
前記ＩＰパケットが前記通信回線Ｌ３から前記網ノード装置Ｎ３に入力すると、前記ＩＰパケットは前記網ノード装置Ｎ３においてＩＰカプセル化されて内部ＩＰパケットに変換され、前記内部ＩＰパケットは前記ＩＰ網内を転送され、前記網ノード装置Ｎ２で逆ＩＰカプセル化されて前記ＩＰパケットに復元され端末移動後も通信が継続するハンドオーバが可能であることを特徴とするＩＰ網を用いた通信システム。
【請求項３】
ＩＰ網は複数の網ノード装置を含み、前記ＩＰ網の外部に複数の無線基地局があり、
無線基地局Ｂ１は通信回線Ｌ１を経て網ノード装置Ｎ１に接続され、無線基地局Ｂ２は通信回線Ｌ２を経て網ノード装置Ｎ２に接続され、無線基地局Ｂ３は通信回線Ｌ３を経て網ノード装置Ｎ３に接続され、
前記網ノード装置Ｎ１乃至Ｎ３はそれぞれ１以上の装置制御レコードを含み、
前記無線基地局Ｂ１乃至Ｂ３はそれぞれ無線通信可能領域ＲＧ１乃至ＲＧ３を有しており、
前記移動端末Ｍ１が前記移動端末Ｍ２への接続要求と前記移動端末Ｍ２の電話番号ＴＮ２とを前記ＩＰ網に送り、前記ＩＰ網は前記接続要求を前記移動端末Ｍ２に送り、前記移動端末Ｍ２は呼出中通知を前記ＩＰ網に送り、前記ＩＰ網は前記呼出中通知を前記移動端末Ｍ１へ送り、前記移動端末Ｍ２は応答通知を前記ＩＰ網に送り、前記ＩＰ網は前記ＩＰ網は前記応答通知を前記移動端末Ｍ１へ送り、前記網ノード装置Ｎ１及びＮ２に装置制御レコードＲ１２及びＲ２１をそれぞれ設定し、前記装置制御レコードＲ１２及びＲ２１は前記網ノード装置Ｎ１及びＮ２の間に通信パス１２を定めており、
前記無線通信可能領域ＲＧ１の内部に位置する移動端末Ｍ１が無線通信路Ｃ１、前記無線基地局Ｂ１、前記通信回線Ｌ１、前記網ノード装置Ｎ１、前記通信パス１２、前記網ノード装置Ｎ２、前記通信回線Ｌ２、前記無線基地局Ｂ２、無線通信路Ｃ２を経て移動端末Ｍ２との間でＩＰパケットＰ１を送受する通信を行っており、
前記ＩＰパケットＰ１が前記通信回線Ｌ１から前記網ノード装置Ｎ１に入力すると、前記ＩＰパケットＰ１は前記網ノード装置Ｎ１において、前記装置制御レコードＲ１２が参照されて、ＩＰカプセル化されて内部ＩＰパケットＮＰ１に変換され、前記内部ＩＰパケットＮＰ１は前記通信パス１２を転送され、前記網ノード装置Ｎ２で逆ＩＰカプセル化されて前記ＩＰパケットＰ１が復元されるようになっており、
前記移動端末Ｍ１が前記移動端末Ｍ２と通信中に、前記移動端末Ｍ１が前記無線通信可能領域ＲＧ１と重複する無線可能領域ＲＧ３の内部に地理的に移動し、前記端末Ｍ１は、前記無線基地局Ｂ１又は前記無線基地局Ｂ３の少なくとも一方を経由して、前記無線通信可能領域ＲＧ３内部への移動通知を前記ＩＰ網に送り、前記ＩＰ網は前記無線通信可能領域ＲＧ３の内部への前記移動通知を基に、前記網ノード装置Ｎ３及びＮ２に装置制御レコードＲ３２及びＲ２３を新たに設定し、前記装置制御レコードＲ３２及びＲ２３は前記網ノード装置Ｎ３及びＮ２の間に通信パス３２を定めており、
前記移動端末Ｍ１が無線通信路Ｃ３、前記無線基地局Ｂ３、前記通信回線Ｌ３、前記網ノード装置Ｎ３、前記通信パス３２、前記網ノード装置Ｎ２、前記通信回線Ｌ２、前記無線基地局Ｂ２、前記無線通信路Ｃ２を経て前記移動端末Ｍ２との間でＩＰパケットを送受する通信を継続するハンドオーバが行われ、
ＩＰパケットＰ２が前記通信回線Ｌ３から前記網ノード装置Ｎ３に入力すると、前記ＩＰパケットＰ２は前記網ノード装置Ｎ３において、前記装置制御レコード３２が参照されてＩＰカプセル化されて内部ＩＰパケットＮＰ２に変換され、前記内部ＩＰパケットＮＰ２は前記ＩＰ網内部の前記通信パス３２を転送され、前記網ノード装置Ｎ２で逆ＩＰカプセル化されて前記ＩＰパケットＰ２に復元され、端末移動後も通信が継続するハンドオーバが可能であることを特徴とするＩＰ網を用いた通信システム。
【請求項４】
ＩＰ網は複数の網ノード装置及び接続サーバを含み、前記ＩＰ網の外部に複数の無線基地局があり、
無線基地局Ｂ１は通信回線Ｌ１を経て網ノード装置Ｎ１に接続され、無線基地局Ｂ２は通信回線Ｌ２を経て網ノード装置Ｎ２に接続され、無線基地局Ｂ３は通信回線Ｌ３を経て網ノード装置Ｎ３に接続され、
前記無線基地局Ｂ１乃至Ｂ３はそれぞれ無線通信可能領域ＲＧ１乃至ＲＧ３を有しており、
前記網ノード装置Ｎ１乃至Ｎ３は複数の装置制御レコードで成る装置制御表Ｈ１乃至Ｈ３を含み、
移動端末Ｍ１が電話番号ＴＮ２である移動端末Ｍ２への接続要求を前記無線基地局Ｂ１経由で前記ＩＰ網に送信した結果として、
前記無線通信可能領域ＲＧ１の内部に位置する前記移動端末Ｍ１が無線通信路Ｃ１、前記無線基地局Ｂ１、前記通信回線Ｌ１、前記網ノード装置Ｎ１、前記ＩＰ網、前記網ノード装置Ｎ２、前記通信回線Ｌ２、前記無線基地局Ｂ２、無線通信路Ｃ２を経て移動端末Ｍ２との間でＩＰパケットを送受する通信を行っており、前記装置制御表Ｈ１内に装置制御レコードＲ１２が設定されており、前記装置制御表Ｈ２内に装置制御レコードＲ２１が設定されており、前記装置制御レコードＲ１２及びＲ２１は前記網ノード装置Ｎ１及びＮ２の間に内部ＩＰパケットが転送される通信パスＰ１２を定めており、
前記ＩＰパケットが前記通信回線Ｌ１から前記網ノード装置Ｎ１に入力すると、前記ＩＰパケットは前記網ノード装置Ｎ１において、前記装置制御レコードＲ１２が用いられてＩＰカプセル化されて内部ＩＰパケットに変換され、前記内部ＩＰパケットは前記通信パスＰ１２を転送され、前記網ノード装置Ｎ２で、前記装置制御レコードＲ２１が用いられて逆ＩＰカプセル化されて前記ＩＰパケットが復元されるようになっており、
前記移動端末Ｍ１が前記移動端末Ｍ２と通信中に、前記移動端末Ｍ１が前記無線通信可能領域ＲＧ１と重複する無線可能領域ＲＧ３の内部に地理的に移動し、
前記移動端末Ｍ１は前記無線基地局Ｂ３と通信して、前記無線基地局Ｂ３を識別する識別記号Ｂ３ｉＤを取得すると、前記識別記号Ｂ３ｉＤを含むハンドオーバ要求を前記無線基地局Ｂ１、前記網ノード装置Ｎ１経由で、前記接続要求側端末Ｍ１との通信に関わる接続サーバＳ１に送信し、前記接続サーバＳ１は、受信した前記ハンドオーバ要求情報を基に、前記無線基地局Ｂ３との通信に関わる接続サーバＳ３と通信し、前記接続サーバＳ３は、前記移動端末Ｍ２との通信に関わる接続サーバＳ２に対して前記ハンドオーバ要求を通知し、
前記接続サーバＳ３は、前記網ノード装置Ｎ３内部の前記装置制御表Ｈ３内に装置制御レコードＲ３２ｘを設定し、前記接続サーバＳ２は、前記装置制御表Ｈ２内に新たに装置制御レコードＲ２３ｘを設定し、前記装置制御レコードＲ３２ｘ及びＲ２３ｘは前記網ノード装置Ｎ３及びＮ２の間に内部ＩＰパケットが転送される通信パスＰ３２ｘを定めており、
前記移動端末Ｍ１が無線通信路Ｃ３、前記無線基地局Ｂ３、前記通信回線Ｌ３、前記網ノード装置Ｎ３、前記通信パスＰ３２ｘ、前記網ノード装置Ｎ２、前記通信回線Ｌ２、前記無線基地局Ｂ２、前記無線通信路Ｃ２を経て前記移動端末Ｍ２との間でＩＰパケットを送受する通信を継続するハンドオーバが行われ、
前記ＩＰパケットが前記通信回線Ｌ３から前記網ノード装置Ｎ３に入力すると、前記ＩＰパケットは前記網ノード装置Ｎ３において前記装置制御レコード３２ｘが用いられてＩＰカプセル化されて内部ＩＰパケットに変換され、前記内部ＩＰパケットは前記ＩＰ網内を転送され、前記網ノード装置Ｎ２で前記装置制御レコードＲ２３ｘが用いられて逆ＩＰカプセル化されて前記ＩＰパケットに復元され、端末移動後も通信が継続するハンドオーバが可能であることを特徴とするＩＰ網を用いた通信システム。
【請求項５】
前記移動端末Ｍ１が前記無線通信可能領域ＲＧ１と重複する無線可能領域ＲＧ３の内部に地理的に移動した後、前記移動端末Ｍ１が前記無線基地局Ｂ３と通信して、前記無線基地局Ｂ１の識別記号Ｂ１ｉＤを含むハンドオーバ要求を前記無線基地局Ｂ３に送信し、前記ハンドオーバ要求は、前記網ノード装置Ｎ３経由で、前記無線基地局Ｂ３との通信に関わる接続サーバＳ３に到達し、前記接続サーバＳ３は受信した前記ハンドオーバ要求情報を基に、前記無線基地局Ｂ１との通信に関わる接続サーバＳ１と通信し、前記接続サーバＳ３は、前記移動端末Ｍ２との通信に関わる接続サーバＳ２に対して前記ハンドオーバ要求を通知し、
前記接続サーバＳ３は前記装置制御表Ｈ３内に装置制御レコードＲ３２ｘを設定し、
前記接続サーバＳ２は前記装置制御表Ｈ２内に装置制御レコードＲ２３ｘを新たに設定し、前記装置制御レコードＲ３２ｘ及びＲ２３ｘは前記網ノード装置Ｎ３及びＮ２の間に内部ＩＰパケットが転送される通信パスＰ３２ｘを定めており、前記移動端末Ｍ１が前記無線基地局Ｂ３、前記通信パスＰ３２ｘ及び前記無線基地局Ｂ２経由で前記移動端末Ｍ２と通信できるようになっている請求項４に記載のＩＰ網を用いた通信システム。
【請求項６】
前記無線基地局Ｂ２が無く、固定端末Ｔ２が端末通信回線Ｌ２を経て網ノード装置Ｎ２に接続されており、前記移動端末Ｍ１と固定端末Ｔ２とが、無線通信路Ｃ１、前記無線基地局Ｂ１、前記通信回線Ｌ１、前記網ノード装置Ｎ１、前記ＩＰ網、前記網ノード装置Ｎ２、前記通信回線Ｌ２経由でＩＰパケットを送受する通信を行っており、
前記移動端末Ｍ１が前記固定端末Ｔ２と通信中に、前記移動端末Ｍ１が前記無線通信可能領域ＲＧ１と重複する無線可能領域ＲＧ３の内部に地理的に移動し、
前記移動端末Ｍ１が無線通信路Ｃ３、前記無線基地局Ｂ３、前記通信回線Ｌ３、前記網ノード装置Ｎ３、前記ＩＰ網、前記網ノード装置Ｎ２、前記通信回線Ｌ２を経て前記固定端末Ｔ２との間でＩＰパケットを送受する通信を継続するハンドオーバが可能である請求項１乃至５のいずれかに記載のＩＰ網を用いたＩＰ通信システム。
【請求項７】
前記ＩＰ網内は、内部ＩＰパケットが転送されずに、代わってＩＰパケットに簡易ヘッダを付加する簡易カプセル化により得られる簡易ヘッダ付内部パケットが転送されるようになっており、
前記網ノード装置Ｎ１，Ｎ２又はＮ３は、通信回線から入力した前記ＩＰパケットを簡易カプセル化して簡易ヘッダ付内部パケットを形成して前記ＩＰ網内部へ送信し、前記簡易ヘッダは宛先アドレスを含むが送信元アドレスを含まず、簡易ヘッダ付内部パケットを受信すると、当該網ノード装置の装置制御レコードを用いて前記簡易ヘッダ付内部パケットを簡易逆カプセル化して得られるＩＰパケットを前記ＩＰ網外部の通信回線へ送信し、前記簡易逆カプセル化は前記簡易ヘッダ付内部パケットから前記簡易ヘッダを除くことにより達成されるようになっている請求項１乃至６のいずれかに記載のＩＰ網を用いたＩＰ通信システム。
【請求項８】
前記ＩＰ網内は、前記内部ＩＰパケットが転送されずに、代わって前記ＩＰパケットに拡張タグを付加するカプセル化により得られる拡張タグを含む内部パケットが転送されるようになっており、
前記網ノード装置Ｎ１乃至Ｎ３は、通信回線から入力した前記ＩＰパケットを拡張タグカプセル化して拡張タグ付内部パケットを形成して前記ＩＰ網内部へ送信し、拡張タグ付内部パケットを受信すると、当該網ノード装置の装置制御レコードを参照して前記拡張タグ付内部パケットを拡張タグ逆カプセル化して得られるＩＰパケットを前記ＩＰ網外部の通信回線へ送信し、前記拡張タグ逆カプセル化は前記拡張タグ付内部パケットから前記拡張タグを除くことにより達成される請求項１乃至６のいずれかに記載のＩＰ網を用いたＩＰ通信システム。
【請求項９】
前記移動端末Ｍ１及びＭ２はＩＰアドレスを有し、無線形式のＩＰパケットを形成して、無線通信路で経由して無線基地局に送信するようになっている請求項１乃至６のいずれかに記載のＩＰ網を用いたＩＰ通信システム。
【請求項１０】
前記電話番号ＴＮ２に代わりホスト名ＴＮ２ｘを用いるようになっている請求項１乃至９のいずれかに記載のＩＰ網を用いた通信システム。
【手続補正２】
【補正対象書類名】明細書
【補正対象項目名】発明の名称
【補正方法】変更
【補正の内容】
【発明の名称】ＩＰ網を用いたＩＰ通信システム